(57)【要約】【課題】絵画等の着脱が容易であるとともに、装着した絵画等が脱落することが無く、更に、裏面をも有効に活用することが可能なフレームを提供すること。【解決手段】写真等を支持するためのフレームであって、第１の透窓部（２０１）が形成された表面側フレーム（２）と、該表面側フレーム（２）の裏面に重ね合わされる、第２の透窓部（３０１）が形成されているとともに、前記表面側フレーム（２）に当接する側において前記第２の透窓部（３０１）の周辺部に段差部（３０２）が形成された支持側フレーム（３）と、前記段差部（３０２）上に周縁部が載置される配置で前記表面側フレーム（２）と支持側フレーム（３）に挟持される透明体（４）と、を具備し、前記表面側フレーム（２）及び支持側フレーム（３）における互いに対向する面の双方に互いに吸着可能な配置でマグネット（５）を配設した。【選択図】図２
0003115285.tif 000002
【実用新案登録請求の範囲】
【請求項１】
写真、絵画、カード等を支持するためのフレームであって、
第１の透窓部（２０１）が形成された表面側フレーム（２）と、
該表面側フレーム（２）の裏面に重ね合わされる、第２の透窓部（３０１）が形成されているとともに、前記表面側フレーム（２）に当接する側において前記第２の透窓部（３０１）の周辺部に段差部（３０２）が形成された支持側フレーム（３）と、
前記段差部（３０２）上に周縁部が載置される配置で前記表面側フレーム（２）と支持側フレーム（３）に挟持される透明体（４）と、を具備し、
前記表面側フレーム（２）及び支持側フレーム（３）における互いに対向する面の双方に互いに吸着可能な配置でマグネット（５）を配設し、表面側フレーム（２）と支持側フレーム（３）を磁力により互いに吸着可能にした、ことを特徴とするフレーム。
【請求項２】
写真、絵画、カード等を支持するためのフレームであって、
第１の透窓部（２０１）が形成された表面側フレーム（２）と、
該表面側フレーム（２）の裏面に重ね合わされる、第２の透窓部（３０１）が形成されているとともに、前記表面側フレーム（２）に当接する側において前記第２の透窓部（３０１）の周辺部に段差部（３０２）が形成された支持側フレーム（３）と、
前記段差部（３０２）上に周縁部が載置される配置で前記表面側フレーム（２）と支持側フレーム（３）に挟持される透明体（４）と、を具備し、
前記表面側フレーム（２）及び支持側フレーム（３）における、互いに対向する面の一方にマグネット（５）を配置するとともに他方には前記マグネット（５）に吸着可能な配置で磁性体を配設し、表面側フレーム（２）と支持側フレーム（３）を磁力により互いに吸着可能にした、ことを特徴とするフレーム。
【請求項３】
前記表面側フレーム（２）及び支持側フレーム（３）を略四角形状に形成したことを特徴とする請求項１又は請求項２に記載のフレーム。
【請求項４】
前記表面側フレーム（２）及び支持側フレーム（３）を略Ｌ字形状に形成したことを特徴とする請求項１又は請求項２に記載のフレーム。
【考案の詳細な説明】
【技術分野】
【０００１】
本考案は、写真、カード等を装着可能としたフレームに係り、より詳しくは、容易に写真、カード等を装着可能にしたフレームに関する。
【背景技術】
【０００２】
従来から、写真、絵画、あるいはカード等を飾る場合にはフレームが用いられている。即ち、このフレームは、長尺状のフレーム材を多角形状に枠組みすることにより構成された枠体と、この多角形状に枠組みされた枠体内に支持されるとともに、写真、絵画等を挟み込んで支持することが可能な透明体および裏板を備えており、透明体と裏板の間に写真、絵画、カード等を挟み込むことによりフレームに写真、絵画等を支持し、その後このフレームを壁等に掛けることにより、写真、絵画等を所望する箇所に飾ることを可能としている。
【０００３】
ここで、従来から一般的に用いられているフレームについて図面を参照して説明すると、図４は従来から用いられているフレームの縦断側面を示す図であり、また、図５は従来のフレームの背面図であり、図において３１が従来のフレームである。
【０００４】
そして、この従来から用いられているフレーム３１では、長尺状のフレーム材を、多角形状、より具体的には四角形状に枠組みした枠体３２を備えている。
【０００５】
また、この枠体３２は、裏面における内周側全域に載置棚部３２０１が形成されているとともに、この載置棚部３２０１に周縁部が載置される配置において、前記枠体３２の内周側には、透明体３３が係止されている。
【０００６】
更に、この透明体３３の裏面には、透明体３３とほぼ同一の形状寸法を有する裏板３４が重ね合わされており、この裏板３４は、その裏面において、前記枠体３２の裏面に回動自在に備えた、「トンボ」と呼ばれる係止部材３５によって支持されており、これにより、前記枠体３２内には透明体３３及び裏板３４が、重ね合わされた状態で係止されている。
【０００７】
そして、使用に際しては、透明体３３及び裏板３４によって絵画、写真等を挟み込んだ状態において、透明体３３、および裏板３４を前記枠体３２内に係止し、この状態で、フレーム３１を壁等に引っ掛け、これにより写真、絵画等を所望する箇所に装着して飾ることを可能としている。
【考案の開示】
【考案が解決しようとする課題】
【０００８】
しかしながら、前述した従来のフレーム３１に写真等を装着する場合には、写真等を挟持した透明体３３及び裏板３４を枠体３２に係止し、その後に、係止部材３５を回動して裏板３４を枠体に固定しなければならないために、写真等の装着作業が繁雑にならざるを得なかった。
【０００９】
また、トンボ等の係止部材３５を用いて裏板３４を枠体に固定する方法においては、写真等の入れ替えを繰り返した場合には係止部材３５にガタが生じてきてしまい、係止部材として確実に裏板３４を固定することが困難になってしまう場合も考えられる。
【００１０】
更に、係止部材によって裏板を枠体に固定する従来のフレームでは、フレームの表面と裏面とが明確に区別されてしまうので裏面の見栄えが悪く、そのために、裏面を活用することができず、壁等に掛けて飾らざるを得なかった。
【００１１】
そこで、本考案は、絵画等の着脱が容易であるとともに、装着した絵画等が脱落することが無く、更に、裏面をも有効に活用することが可能なフレームを提供することを課題としている。
【課題を解決するための手段】
【００１２】
本考案のフレームは、写真、絵画、カード等を挟み込んで支持するためのフレームであって、第１の透窓が形成された表面側フレームと、該表面側フレームの裏面に重ね合わされる、第２の透窓が形成されているとともに、前記表面側フレームに当接する側において前記第２の透窓の周辺部に段差部が形成された支持側フレームと、前記段差部上に周縁部が載置される配置で前記支持側フレームに係止される透明体と、を具備し、
前記表面側フレーム及び支持側フレームにおける互いに対向する面の双方に互いに吸着可能な配置でマグネットを配設し、表面側フレームと支持側フレームを磁力により互いに吸着可能にした、ことを特徴としている。
【００１３】
また、本考案のフレームは、本考案のフレームは、写真、絵画、カード等を挟み込んで支持するためのフレームであって、第１の透窓が形成された表面側フレームと、該表面側フレームの裏面に重ね合わされる、第２の透窓が形成されているとともに、前記表面側フレームに当接する側において前記第２の透窓の周辺部に段差部が形成された支持側フレームと、前記段差部上に周縁部が載置される配置で前記支持側フレームに係止される透明体と、を具備し、
前記表面側フレーム及び支持側フレームにおける、互いに対向する面の一方にマグネットを配置するとともに他方には前記マグネットに吸着可能な配置で磁性体を配設し、表面側フレームと支持側フレームを磁力により互いに吸着可能にした、ことを特徴としている。
【考案の効果】
【００１４】
本考案のフレームでは、フレームを、表面側フレームとこの表面側フレームの裏面に重ね合わされる支持側フレームにより構成して、この表面側フレームと支持側フレームで挟持する形態で透明体を支持するとともに、磁力により表面側フレームと支持側フレームとを互いに連結している。
【００１５】
そのために、従来のフレームにおいて不可欠であったトンボ等の係止部材が不要となり、絵画、写真等の装着作業を容易にすることが可能となるとともに、絵画等の入れ替えを繰り返した場合でも表面側フレームと支持側フレームの吸着力を維持することができ、挟持している絵画等の脱落を防止できる。
【００１６】
更に、トンボ等の係止部材を用いていないために、表面と同様に裏面を活用することができ、例えば表裏面の双方に絵画等を飾ることが可能となった。
【考案を実施するための最良の形態】
【００１７】
本考案のフレームでは、表面側フレームと、この表面側フレームの裏面に重ね合わされる支持側フレームを備えており、この表面側フレーム及び支持側フレームにはそれぞれ、同一の形状寸法とされた透窓部が形成されている。
【００１８】
また、支持側フレームにおける、前記表面側フレームに当接する側には、前記透窓部の周辺部に段差部が形成されており、この段差部上に周縁部が載置する形態において、前記表面側フレームと支持側フレーム間には、透明体が挟持されている。
【００１９】
そして、前記表面側フレーム及び支持側フレームにおける互いに対向する面の双方には、互いに吸着可能な配置でマグネットが配設されており、又は、前記表面側フレーム及び支持側フレームにおける互いに対向する面の一方にマグネットが配置されるとともに他方には前記マグネットに吸着可能な配置で磁性体が配設され、これにより、表面側フレームと支持側フレームとは、磁力により互いに吸着されている。
【００２０】
ここで、前記表面側フレーム及び支持側フレームの形状としては、略四角形状、あるいは略Ｌ字形状が考えられる。
【実施例１】
【００２１】
本考案のフレームの実施例について図面を参照して説明すると、図１は、本実施例のフレームの縦断側面を示した図であり、また、図２は本実施例のフレームを分解した状態を示す分解斜視図であり、図において１が本実施例のフレームである。
【００２２】
そして、本実施例のフレーム１では、略長方形とした表面側フレーム２を備えており、この表面側フレーム２において、周縁部分を除いた部分には、略四角形状とした第１の透窓部２０１が形成されている。
【００２３】
次に、本実施例のフレーム１では、前記表面側フレーム２の裏面に重ね合わされる支持側フレーム３を備えている。そして、この支持側フレーム３は、前記表面側フレーム２とほぼ同一の形状寸法の外形としており、これを表面側フレーム２の裏面に重ね合わした際に前記第１の透窓部２０１に対応する箇所には、第１の透窓部２０１と同一の形状寸法とした第２の透窓部３０１が形成されている。
【００２４】
また、支持側フレーム３における前記表面側フレーム２に当接する面には、前記第２の透窓部３０１の周辺部に段差部３０２が形成されている。
【００２５】
なお、前記表面側フレーム２及び支持側フレーム３の材質は特に限定されず、木製、合成樹脂製等、いずれの材質を用いてもよい。
【００２６】
次に、本実施例のフレーム１では透明体４を備えており、この透明体４は、ガラス、合成樹脂等の透明な素材により形成され、前記段差部３０２に周縁部が載置可能な外径寸法とされており、前記段差部３０２上に周縁部が載置される形態で、前記表面側フレーム２と支持側フレーム３とにより挟持されている。
【００２７】
なお、本実施例において前記透明体４は２枚としており、この２枚の透明体４間に絵画、写真、カード等を挟持可能としている。但し、必ずしも透明体４を２枚とする必要はなく、１枚としてもよい。
【００２８】
次に、前記表面側フレーム２における裏面適所にはマグネット５が配設されているとともに、前記支持側フレーム３における表面において、表面側フレーム２の裏面に支持側フレーム３を重ね合わせた場合に前記表面側フレーム２の裏面に配設したマグネット５に対向する箇所にもマグネット５が配設されており、即ち、前記表面側フレーム２及び支持側フレーム３の互いに当接する面のそれぞれには、互いに吸着可能な配置でマグネット５が配設されている。そしてこれにより、表面側フレーム３と支持側フレーム４は、マグネット５の磁力により互いに吸着可能としている。従って、本実施例のフレーム１では、従来のフレームに不可欠であったトンボ等の係止部材を用いること無く絵画、写真、カード等を挟持することが可能である。
【００２９】
次に、このように構成される本実施例のフレーム１の作用について説明すると、本実施例のフレームに絵画、写真、カード等を装着する場合には、まず、表面側フレーム２と支持側フレーム３とを分離して２枚の透明体４を取り出し、この２枚の透明体４によって、装着を所望する絵画、写真、カード等を挟持する。
【００３０】
次に、この絵画、写真、カード等を挟持した２枚の透明体４の周縁部を前記段差部３０２上に載置するとともに、この状態で、表面側フレーム２と支持側フレーム３とを重ね合わせる。
【００３１】
そうすると、マグネット５の磁力によって、表面側フレーム２と支持側フレーム３とは、透明体４を挟持しつつ互いに吸着し合い、これにより、絵画、写真、カード等の装着が完了する。
【００３２】
そして、このとき、本実施例のフレーム１では、磁力によって表面側フレームと支持側フレームとを吸着させることにより絵画等を挟持した透明体を挟持固定可能としているため、従来のフレームに不可欠であったトンボ等の係止部材が不要となり、絵画、写真等の装着作業が容易になった。
【００３３】
更に、磁力を用いているために、絵画等の入れ替えを繰り返した場合でも表面側フレームと支持側フレームの吸着を維持することができるため、挟持している絵画等の脱落を有効に防止できる。
【００３４】
更にまた、トンボ等の係止部材を用いていないために、表面と同様に裏面を活用することができ、例えば、互いに背面側を当接させた状態の２枚の絵画等を透明体４で挟持することにより、表裏双方から絵画、写真、カード等を楽しむこともでき、かかる場合には、フレームを壁等に掛けて飾る必要もなくなる。
【００３５】
このように、本実施例のフレームによれば、絵画等の装着作業が容易になるとともに、絵画等の入れ替えを繰り返した場合でも装着した絵画等が脱落することを防止でき、更にフレームの表裏を有効に活用することが可能となった。
【００３６】
なお、前述の実施例では、表面側フレーム２と支持側フレーム３をそれぞれ、略長方形状とした場合について説明したが、表面側フレーム２と支持側フレーム３の形状は特に限定されず、透窓部を有していればいずれの形状でもよい。例えば、図３は、他の形態の表面側フレーム２及び支持側フレーム３を用いたフレーム１１の分解斜視図であり、この形態のフレーム１１では、表面側フレーム２及び支持側フレーム３のそれぞれを、縦枠２０３、３０３及び横枠２０４、３０４により構成される略Ｌ字形状としており、それぞれの縦枠２０３、３０３及び横枠２０４、３０４で囲まれた空間を透窓部２０１、３０１としている。
【００３７】
また、マグネット５の配設箇所は特に限定されず、表面側フレーム２と支持側フレーム３とが互いに吸着可能な箇所であればいずれでもよい。
【００３８】
更に、前述の実施例では、表面側フレーム２の裏面、及び支持側フレーム３の表面の双方にマグネット５を配設した場合を説明したが、この他、表面側フレーム２の裏面又は支持側フレーム３の表面のいずれか一方にマグネットを配設するとともに、他方側にはこのマグネットに吸着可能な磁性体を配設してもよい。
【産業上の利用可能性】
【００３９】
本考案のフレームは、磁力によって表面側フレームと支持側フレームとを互いに吸着し、これにより、表面側フレーム及び支持側フレーム間に、絵画等を挟持した透明体を支持可能とし、これにより従来のフレームに不可欠であったトンボ等の係止部材を不要としているために、透明体によって絵画、写真等を挟持固定可能なフレームの全般に適用可能である。
【図面の簡単な説明】
【００４０】
【図１】本考案のフレームの実施例の縦断側面図である。
【図２】本考案のフレームの実施例の分解斜視図である。
【図３】本考案のフレームの他の形態を示す斜視図である。
【図４】従来のフレームを説明するための図である。
【図５】従来のフレームを説明するための図である。
【符号の説明】
【００４１】
１、１１    フレーム
２    表面側フレーム
２０１    透窓部
２０３    縦枠
２０４    横枠
３    支持側フレーム
３０１    透窓部
３０２    段差部
３０３    縦枠
３０４    横枠
４    透明体
５    マグネット
【図１】
0003115285.tif 000003
【図２】
0003115285.tif 000004
【図３】
0003115285.tif 000005
【図４】
0003115285.tif 000006
【図５】
0003115285.tif 000007